【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
デバイス依存のデータであるデバイス色データとデバイス非依存のデータである測色値との対応関係および色材ののり量を制御する制御情報を格納するプロファイルを取得し、
前記デバイス色データと測色値との対応関係および前記色材量の制御する制御情報に基づき、前記デバイス非依存のデータを前記デバイス依存のデータに変換する第１の変換データを生成することを特徴とする色処理方法。
【請求項２】
前記制御情報は、複数の色材の総のり量を制御するための情報を含むことを特徴とする請求項１記載の色処理方法。
【請求項３】
前記制御情報は、色材の２次色に対するのり量を制御するための情報を含むことを特徴とする請求項１または２記載の色処理方法。
【請求項４】
前記プロファイルに基づき出力側の色再現範囲を求める色処理方法であり、
前記出力側の色再現範囲として、前記測色値と前記のり量を制御する制御情報とに基づき、前記制御情報によって画像出力時の色材ののり量が制限された場合の色再現範囲を求めることを特徴とする請求項１乃至３のいずれかに記載の色処理方法。
【請求項５】
前記プロファイルには墨版制御情報が格納され、
前記第１の変換データは、前記デバイス色データと測色値との対応関係、前記色材ののり量を制御する制御情報および前記墨版制御情報に基づき生成されることを特徴とする請求項１乃至４のいずれかに記載の色処理方法。
【請求項６】
前記色材ののり量を制御する制御情報にかかわらず、前記デバイス色データと測色値との対応関係に基づき、前記デバイス依存のデータを前記デバイス非依存のデータに変換する第２の変換データを生成することを特徴とする請求項１乃至５のいずれかに記載の色処理方法。
【請求項７】
前記プロファイルに基づき入力側の色再現範囲を求める色処理方法であり、
前記入力側の色再現範囲として、前記制御情報による色材ののり量の制御にかかわず、前記測色値に基づき色再現範囲を求めることを特徴とする請求項１乃至６のいずれかに記載の色処理方法。
【請求項８】
デバイス依存のデータであるデバイス色データとデバイス非依存のデータである測色値との対応関係および色材ののり量を制御する制御情報を取得する取得工程と、
前記デバイス色データと測色値との対応関係および前記色材ののり量を制御する制御情報から、前記デバイス非依存の色データを前記デバイス依存の色データに変換する第１の変換データを生成する逆方向変換データ生成工程と、
前記デバイス色データと測色値との対応関係および前記色材ののり量を制御する制御情報に基づき、前記制御情報によって画像出力時の色材量が制限された場合の色再現範囲を求める第１色再現範囲算出工程と、
前記デバイス色データと測色値との対応関係から、前記デバイス依存の色データを前記デバイス非依存の色データに変換する順方向変換データを生成する第２の変換データ生成工程と、
前記制御情報による前記色材ののり量の制御にかかわず、前記測色値に基づき色再現範囲を求める第２色再現範囲算出工程とを有することを特徴とする色処理方法。
【請求項９】
請求項１乃至８のいずれかに記載の色処理方法をコンピュータにて実現するためのコンピュータが読み取り可能なプログラム。
【請求項１０】
デバイス依存のデータであるデバイス色データとデバイス非依存のデータである測色値との対応関係および色材ののり量を制御する制御情報を格納するプロファイルを取得する取得手段と、
前記デバイス色データと測色値との対応関係および前記色材量の制御する制御情報に基づき、前記デバイス非依存のデータを前記デバイス依存のデータに変換する第１の変換データを生成する生成手段とを有することを特徴とする色処理装置。
【請求項１１】
デバイス依存のデータであるデバイス色データとデバイス非依存のデータである測色値との対応関係および色材ののり量を制御する制御情報を取得する取得手段と、
前記デバイス色データと測色値との対応関係および前記色材ののり量を制御する制御情報から、前記デバイス非依存の色データを前記デバイス依存の色データに変換する第１の変換データを生成する逆方向変換データ生成手段と、
前記デバイス色データと測色値との対応関係および前記色材ののり量を制御する制御情報に基づき、前記制御情報によって画像出力時の色材量が制限された場合の色再現範囲を求める第１色再現範囲算出手段と、
前記デバイス色データと測色値との対応関係から、前記デバイス依存の色データを前記デバイス非依存の色データに変換する順方向変換データを生成する第２の変換データ生成手段と、
前記制御情報による前記色材ののり量の制御にかかわず、前記測色値に基づき色再現範囲を求める第２色再現範囲算出手段とを有することを特徴とする色処理装置。
【手続補正２】
【補正対象書類名】明細書
【補正対象項目名】０００１
【補正方法】変更
【補正の内容】
【０００１】
本発明は、デバイス依存のデータであるデバイス色データとデバイス非依存のデータである測色値との対応関係および色材ののり量を制御する制御情報を用いた色処理に関する。
【手続補正３】
【補正対象書類名】明細書
【補正対象項目名】００１８
【補正方法】変更
【補正の内容】
【００１８】
請求項１記載の発明は、デバイス依存のデータであるデバイス色データとデバイス非依存のデータである測色値との対応関係および色材ののり量を制御する制御情報を格納するプロファイルを取得し、前記デバイス色データと測色値との対応関係および前記色材量の制御する制御情報に基づき、前記デバイス非依存のデータを前記デバイス依存のデータに変換する第１の変換データを生成することを特徴とする。
【手続補正４】
【補正対象書類名】明細書
【補正対象項目名】００１９
【補正方法】変更
【補正の内容】
【００１９】
請求項８記載の発明は、デバイス依存のデータであるデバイス色データとデバイス非依存のデータである測色値との対応関係および色材ののり量を制御する制御情報を取得する取得工程と、前記デバイス色データと測色値との対応関係および前記色材ののり量を制御する制御情報から、前記デバイス非依存の色データを前記デバイス依存の色データに変換する第１の変換データを生成する逆方向変換データ生成工程と、前記デバイス色データと測色値との対応関係および前記色材ののり量を制御する制御情報に基づき、前記制御情報によって画像出力時の色材量が制限された場合の色再現範囲を求める第１色再現範囲算出工程と、前記デバイス色データと測色値との対応関係から、前記デバイス依存の色データを前記デバイス非依存の色データに変換する順方向変換データを生成する第２の変換データ生成工程と、前記制御情報による前記色材ののり量の制御にかかわず、前記測色値に基づき色再現範囲を求める第２色再現範囲算出工程とを有することを特徴とする。
【手続補正５】
【補正対象書類名】明細書
【補正対象項目名】００２０
【補正方法】変更
【補正の内容】
【００２０】
請求項１の発明によれば、色材ののり量を適切に制御できる変換データを生成することができる。また、色材ののり量を制御する制御情報がプロファイル内に格納されているので、変換データ作成時に色材ののり量について設定しなくても適切な変換データを生成することができる。
【手続補正６】
【補正対象書類名】明細書
【補正対象項目名】００２１
【補正方法】変更
【補正の内容】
【００２１】
また、請求項８記載の発明によれば、用途に応じて色再現範囲を求めることができ、高精度なカラーマッチングを実現することができる。